(57)【要約】【課題】如何なる環境温度においても基準駆動シーケンスを補正することなく共通に使用できるような反射型表示装置の駆動方法を提供すること。【解決手段】反射型表示装置を駆動する方法であって、一方の基板の電極と他方の基板の電極との間に、所望の表示の内容に応じて電圧を印加して表示を書き換える表示書き換え工程と、前記表示書き換え工程において書き換えられた表示を保持する表示保持工程と、を備え、前記表示書き換え工程では、如何なる環境温度においても、−３５℃〜０℃℃という低温環境に合わせて予め設定された基準駆動信号に従う電圧の印加が行われる。【選択図】図３
2015219310.tif 000002
【特許請求の範囲】
【請求項１】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置を駆動する方法であって、
一方の基板の電極と他方の基板の電極との間に、所望の表示の内容に応じて電圧を印加して表示を書き換える表示書き換え工程と、
前記表示書き換え工程において書き換えられた表示を保持する表示保持工程と、
を備え、
前記表示書き換え工程では、−３５℃〜０℃という範囲内のいずれかの所定温度で表示書き換えを実現する基準駆動信号が、前記所定温度以上の如何なる環境温度においても共通に印加される
ことを特徴とする方法。
【請求項２】
前記基準駆動信号は、−３５℃〜０℃という範囲内のいずれかの所定温度で表示書き換えを実現する長さの時間長だけ電圧を印加する信号である
ことを特徴とする請求項１に記載の方法。
【請求項３】
前記時間長は、２０℃という常温環境に合わせていたら設定されたであろう時間長と比較して、１．５倍〜１０倍の範囲である
ことを特徴とする請求項２に記載の方法。
【請求項４】
前記基準駆動信号は、−３５℃〜０℃という範囲内のいずれかの所定温度で表示書き換えを実現する大きさの電圧を印加する信号である
ことを特徴とする請求項１に記載の方法。
【請求項５】
少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、
−３５℃〜０℃という範囲内のいずれかの所定温度で表示書き換えを実現する基準駆動信号を生成する信号生成部と、
前記所定温度以上の如何なる環境温度においても、一方の基板の電極と他方の基板の電極との間に、前記信号生成部で生成された基準駆動信号を印加する印加制御部と、
を備えたことを特徴とする反射型表示装置。
【請求項６】
前記基準駆動信号は、−３５℃〜０℃という範囲内のいずれかの所定温度で表示書き換えを実現する長さの時間長だけ電圧を印加する信号である
ことを特徴とする請求項５に記載の反射型表示装置。
【請求項７】
前記時間長は、２０℃という常温環境に合わせていたら設定されたであろう時間長と比較して、１．５倍〜１０倍の範囲である
ことを特徴とする請求項６に記載の反射型表示装置。
【請求項８】
前記基準駆動信号は、−３５℃〜０℃という範囲内のいずれかの所定温度で表示書き換えを実現する大きさの電圧を印加する信号である
ことを特徴とする請求項５に記載の反射型表示装置。
【発明の詳細な説明】
【技術分野】
【０００１】
本発明は、電子ペーパー等に応用されている反射型表示装置の駆動方法に関する。
【背景技術】
【０００２】
反射型表示装置として、最近、表示媒体に含まれる電気応答性材料として電気泳動体を用いた電気泳動表示装置が広く用いられている。電気泳動表示装置とは、空気中または溶媒中の電気泳動体（通常は電気泳動する粒子）の電気的な泳動、すなわち粒子移動を利用して情報を表示する装置である。通常、２枚の基板間に電界を与えることで電気的な泳動の状態が制御され、それによって所望の表示が実現されるように構成される。電気泳動体としては、荷電粒子の他、荷電粉体をも利用され得る。その場合、当該荷電粉体は気体中を電気的に泳動する。
【０００３】
電気泳動表示装置は、近年では特に、電子ペーパーとしての応用が注目されている。電子ペーパーとして応用する場合には、印刷物レベルの視認性（目にやさしい）、情報書き換えの容易性、低消費電力、軽量といった利点を享受できる。
【０００４】
より詳細に説明すれば、電子ペーパーの表示素子として、電位状態についてメモリー性を有する表示素子を利用できるため、電圧などのエネルギーを供給し続けなくても、画像データに応じた表示状態を維持できる。一般的には、電子ペーパーの表示素子として、気中移動型、電気泳動粒子型、２色回転粒子型が知られている。これらは、電圧を付与することでセル内の電荷粒子の状態を変化させ、そのことによって表示状態を可変とすることができる。一方、電圧の付与を止めても、その表示状態を長時間に亘って維持できる。
【０００５】
これらの方式では、電圧を印加して電荷粒子を電気的に動かすことで、電荷粒子の位置や向きを変えている。従って、原理的に電場に対する応答性が極めて高く、すなわち、外部環境に非常に敏感である。
【０００６】
そこで、センサを表示装置に搭載して外部環境の情報を取得し、それに応じて駆動信号を直接的に補正することが提案されている（特許文献１、特許文献２、特許文献３）。
【先行技術文献】
【特許文献】
【０００７】
【特許文献１】特許第４１９６６１５号
【特許文献２】特開２０１０−２５６５１６号公報
【特許文献３】特開２００４−  ８５６０６号公報
【発明の概要】
【発明が解決しようとする課題】
【０００８】
センサの取得温度に基づいて駆動信号を補正する場合、予め補正の方法（プログラム）を決定しておく必要がある。しかしながら、応答性に影響する要因が複雑に相関しているような場合、そのような方法（プログラム）を特定することが困難で、必ずしも期待した効果が得られない場合がある。また、例えば表示装置を製造してから1週間以内の初期状態と３年以上が経過した状態とでは、補正の方法（プログラム）が異なるため、補正の方法（プログラム）を変更する作業が必要で面倒である。
【０００９】
また、装置周辺の温度を測定するセンサを搭載している場合には、センサの個体差やセンサの経時劣化といった問題にも対処する必要がある。
【００１０】
本件発明者は、センサの取得温度に基づいて駆動信号を補正するという発想から離れ、如何なる環境温度においても共通に使用可能な基準駆動信号が見出せないか、鋭意検討を重ねてきた。
【００１１】
本発明は、このような事情に基づいて行われたものであり、その目的は、如何なる環境温度においても基準駆動信号を補正することなく共通に使用できるような反射型表示装置の駆動方法を提供することにある。また、本発明の目的は、そのような駆動方法に対応できる反射型表示装置を提供することにある。
【課題を解決するための手段】
【００１２】
本発明は、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置を駆動する方法であって、一方の基板の電極と他方の基板の電極との間に、所望の表示の内容に応じて電圧を印加して表示を書き換える表示書き換え工程と、前記表示書き換え工程において書き換えられた表示を保持する表示保持工程と、を備え、前記表示書き換え工程では、−３５℃〜０℃という範囲内のいずれかの所定温度で表示書き換えを実現する基準駆動信号が、前記所定温度以上の如何なる環境温度においても共通に印加されることを特徴とする方法である。
【００１３】
本件発明者によれば、このような基準駆動信号を採用することで、広い温度範囲で当該基準駆動信号を共通に使用することができる。このため、温度センサ及び温度センサに付随する制御装置等を必要とすることなく、広い温度範囲で所望の表示書き換え動作を実現することができる。
【００１４】
具体的には、例えば、前記基準駆動信号は、−３５℃〜０℃という範囲内のいずれかの所定温度で表示書き換えを実現する長さの時間長だけ電圧を印加する信号である。また、この場合、一般的には、前記時間長は、２０℃という常温環境に合わせていたら設定されたであろう時間長と比較して、１．５倍〜１０倍の範囲である。
【００１５】
あるいは、例えば、前記基準駆動信号は、−３５℃〜０℃という範囲内のいずれかの所定温度で表示書き換えを実現する大きさの電圧を印加する信号である。
【００１６】
また、本発明は、前記のような駆動方法に対応できる反射型表示装置である。すなわち、少なくとも一方が透光性を有しており各々電極が形成されている対向する２枚の基板間に少なくとも１種以上の電気応答性材料を含む表示媒体が封入されていて、前記２枚の基板間に所定の電界が与えられる際に所望の表示をする、反射型表示装置であって、−３５℃〜０℃という範囲内のいずれかの所定温度で表示書き換えを実現する基準駆動信号を生成する信号生成部と、前記所定温度以上の如何なる環境温度においても、一方の基板の電極と他方の基板の電極との間に、前記信号生成部で生成された基準駆動信号を印加する印加制御部と、を備えたことを特徴とする反射型表示装置である。
【００１７】
本発明によれば、広い温度範囲で前記基準駆動信号を共通に使用することができる。このため、温度センサ及び温度センサに付随する制御装置等を必要とすることなく、広い温度範囲で所望の表示書き換え動作を実現することができる。
【発明の効果】
【００１８】
本発明によれば、−３５℃〜０℃という範囲内のいずれかの所定温度で表示書き換えを実現する基準駆動信号を採用することで、広い温度範囲で当該基準駆動信号を共通に使用することができる。このため、温度センサ及び温度センサに付随する制御装置等を必要とすることなく、広い温度範囲で所望の表示書き換え動作を実現することができる。
【図面の簡単な説明】
【００１９】
【図１】本発明の一実施の形態による反射型表示装置の構成を概略的に示す断面図である。
【図２】図１に示す反射型表示装置の画素配置の一例を概略的に示す図である。
【図３】図１に示す反射型表示装置の４つの画素のうち、２つの画素を書き換える場合の電圧波形図である。
【図４】本発明の一実施の形態による表示書き換え処理を示すフロー図である。
【発明を実施するための形態】
【００２０】
図１は、本発明の一実施の形態による反射型表示装置の構成を概略的に示す断面図である。本実施の形態による反射型表示装置は、少なくとも一方が透光性を有しており各々電極１１１，１６１が形成されている対向する２枚の基板間１１，１６に、少なくとも１種以上の電気応答性材料を含む表示媒体１３が封入されていて、２枚の基板１１，１６間に所定の電界が与えられる際に表示媒体１３が所望の表示をするようになっている。ここで、本件の明細書及び特許請求の範囲において「透光性」とは、光を透過する性質、という程度の意味である。本実施の形態においては、視認側に配置される基板（一方の基板１１）は、全光透過率が５０％以上、好ましくは８０％以上、さらに好ましくは９０％以上となるような透光性を有している。
【００２１】
本実施の形態においては、一方の基板１１と他方の基板１６との間に、少なくとも表示領域を覆う共通電極１１１と、表示媒体１３が配置された表示媒体層１５と、マトリクス状に配列された複数の電極１６１とが、一方の基板１１の側から他方の基板１６の側に向かう方向に見て当該順序で設けられている。ここで、本件の明細書及び特許請求の範囲において「表示領域」とは、反射型表示装置において所望の表示に利用される領域、という意味である。
【００２２】
本実施の形態では、一方の基板１１が視認側に配置され、他方の基板１６が非視認側に配置される。
【００２３】
一方の基板１１としては、ポリエチレン（ＰＥ）、ポリエチレンテレフタレート（ＰＥＴ）、ポリエーテルサルフォン（ＰＥＳ）、ポリエチレンナフタレート（ＰＥＮ）等の透光性フィルムや透光性ガラスに、共通電極１１１として、酸化インジウムスズ（ＩＴＯ）、酸化亜鉛（ＺｎＯ）、酸化スズ（ＳｎＯ）等の透光性電極を付したものが、典型的に用いられ得る。
【００２４】
共通電極１１１は、塗工法やスパッタリング、真空蒸着法、ＣＶＤ法等によって、少なくとも一方の基板１１の表示領域を覆うように形成される。共通電極１１１は、必ずしもパターンが形成されている必要は無く、基板全面が電極であってもよい。
【００２５】
一方の基板１１の厚みは、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００２６】
一方の基板１１は、ロール状でもシート状でもどちらでも適用可能である。
【００２７】
他方の基板１６としては、樹脂フィルム、樹脂板、ガラス、エポキシガラス（ガラエポ）等の表示媒体側の面に金属等の導電性材料によって画素電極１６１が形成されたものが用いられ得る。本実施の形態の画素電極１６１は、いわゆるセグメント電極である。
【００２８】
また他方の基板１６は、透光性を有する基材が用いられてもよい。さらに透光性を有しているが不透明な基材であってもよく、電極面とは異なるもう一方の面を粗面化した不透明なガラス基材、樹脂フィルム、樹脂板、ガラス、エポキシガラス（ガラエポ）等が用いられ得る。本実施の形態では、他方の基板１６は、視認側と反対側の位置に配置されるため、透光性を有している必然性はない。しかし、熱膨張特性など一方の基板１１と同じ物性が必要とされる場合は、一方の基板１１と同様の透光性の部材が使用され得る。
【００２９】
他方の基板１６の厚みも、一方の基板１１の厚みと同様に、１０μｍ〜１ｍｍが好適である。１０μｍよりも薄いと、パネルとしての強度を得ることができず、破損に至る危険度が増す一方、１ｍｍよりも厚いと、パネル重量が重くなり過ぎて取り扱いが不便になるし、コストも高くなるからである。破損しにくく取り扱いが容易である好適な厚みの範囲は、５０μｍ〜３００μｍ程度である。
【００３０】
他方の基板１６も、ロール状でもシート状でもどちらでも適用可能である。
【００３１】
そして、本実施の形態では、図２に示すように、いわゆる７セグメント表示とその背景表示に対応する８個のセグメント電極１６１（ａ〜ｈ）が、他方の基板１６の表示領域を網羅するように配置されている。もっとも、ｍ×ｎ個の画素に個別に対応するｍ×ｎ個のセグメント電極１６１の配置や、他の所定の表示パターンを提供する他の配置も、採用され得る。
【００３２】
そして、本実施の形態の各セグメント電極１６１（ａ〜ｈ）は、図２に示すように、本発明の印加制御部として機能する信号線ドライバを介して、予め設定された基準駆動信号を生成する信号生成部に接続されている。基準駆動信号とは、表示書き換え工程において電極に印加される信号であって、基準となる信号である。
【００３３】
信号生成部が、各セグメント電極１６１への電圧印加の要／不要と、要の場合の符号と、を判別し、電圧印加が要であって正であるセグメント電極１６１に対しては、信号生成部の命令に従って信号線ドライバで生成された正の基準駆動信号が印加されるようになっており、電圧印加が要であって負であるセグメント電極１６１に対しては、信号生成部の命令に従って信号線ドライバで生成された負の基準駆動信号が印加されるようになっている。また、電圧印加が不要であるセグメント電極１６１に対しては、ＧＮＤ電位の印加が継続されるようになっている。もっとも、本実施の形態において電圧印加を不要としＧＮＤ電位の印加が継続されるとしたセグメント電極１６１については、ＧＮＤ電位とは異なる他の共通電位の印加が継続されてもよい。その場合には、正の基準駆動信号／負の基準駆動信号ではなく、当該共通電位に対してより高い電位の基準駆動信号／より低い電位の基準駆動信号が適用され得る。
【００３４】
図３には、第１画素に印加される正の基準駆動信号の例が示されている。正の基準駆動信号とは、相対的にＧＮＤ電位よりも高い電圧による基準駆動信号である。図３に示す正の基準駆動信号によれば、相対的にＧＮＤ電位よりも高い第１電位＋ａ（Ｖ）の信号が所所定時間ｔ１だけ印加される。
【００３５】
ここで、第１電位＋ａ（Ｖ）及び所定時間ｔ１が、−３５℃〜０℃、例えば−３０℃という低温環境で表示書き換えを実現するように予め設定されていることが、本実施の形態の特徴である。一般的な冷凍庫の設定温度が−３０℃であり、冷蔵庫の設定温度が−５℃であり、温度ドリフトが±５℃であると考えたものである。−３０℃という低温環境では、表示媒体１３の粘度が高く、すなわち、電気応答性材料の移動（電気泳動）の抵抗が大きく、結果的に電界変化に対する応答速度が遅いため、例えば２０℃という常温環境と比較した場合、電圧を印加する時間を相対的に長くしておくか、電圧の絶対値を大きくしておく必要がある。具体的には、２０℃という常温環境に合わせていたら設定されたであろう所定時間（時間長）３００ｍｓと比較して、１．５倍〜１０倍の範囲（４５０ｍｓ〜３０００ｍｓ）から選択されている。
【００３６】
ここで、１．５倍〜１０倍という範囲について説明する。表示媒体１３の粘度には、温度依存性があり、温度が下がるにつれて上昇する。具体的には、温度が１度低下すると、粘度は数〜１０％増加する。そして、表示媒体１３の粘度が上昇すると、反射型表示装置の応答速度が低下する。従って、例えば０℃の状態を２０℃の状態と比較した場合、少なくとも５０％以上粘度が増加していると考えられ、これに応じて応答速度も５０％以上遅くなると考えられる。この影響を相殺するべく、前記範囲の下限は１．５倍とされている。一方、範囲の上限を１０倍としたのは、電圧印加時間がそれ以上に長すぎると、焼き付きによって表示寿命期間が短くなるためである。
【００３７】
なお、時間長とは、１回の波形の場合には高電圧維持時間であり、複数のパルス波形の場合には、合計の高電圧維持時間である。
【００３８】
一方、図３には、第２画素に印加される負の基準駆動信号の例も示されている。負の基準駆動信号とは、相対的にＧＮＤ電位よりも低い電圧による基準駆動信号である。図３に示す負の基準駆動信号によれば、相対的にＧＮＤ電位よりも低い第２電位−ｂ（Ｖ）の信号が所定時間ｔ２だけ印加される。
【００３９】
ここで、第２電位−ｂ（Ｖ）及び所定時間ｔ２が−３０℃という低温環境で表示書き換えを実現するように予め設定されていることが、本実施の形態の特徴である。−３０℃という低温環境では、表示媒体１３の粘度が高く、すなわち、電気応答性材料の移動（電気泳動）の抵抗が大きく、結果的に電界変化に対する応答速度が遅いため、例えば２０℃という常温環境と比較した場合、電圧を印加する時間を相対的に長くしておくか、電圧の絶対値を大きくしておく必要がある。具体的には、２０℃という常温環境に合わせていたら設定されたであろう所定時間（時間長）３００ｍｓと比較して、１．５倍〜１０倍の範囲（４５０ｍｓ〜３０００ｍｓ）から選択されている。１．５倍〜１０倍という範囲の根拠については、第１電位＋ａ（Ｖ）及び所定時間ｔ１について説明したのと同じである。
【００４０】
図１に戻って、本実施の形態の表示媒体層１５は、一方の基板１１と他方の基板１６との間において複数のセルを区画する隔壁１２を有している。ここで、「セル」とは、電気応答性材料の沈降や偏在に起因して表示の不良、特にコントラストの低下を防止するべく上下の電極基板１１，１６間において分割された、電気泳動する電気応答性材料の微小な泳動空間、すなわち移動空間を意味する。なお、当該移動空間は、マイクロカプセル等、他の構造物によって分割されてもよい。また、電気応答性材料の沈降や偏在の虞が低い場合には、上下の電極基板１１，１６間の空間は、このような構造物によって分割されていなくてもよい。
【００４１】
隔壁１２は、紫外線硬化樹脂、熱硬化樹脂、常温硬化樹脂等によって構成可能であり、隔壁１２の形成方法は、フォトリソグラフィ法の他、エンボス加工などの型転写方法も採用され得る。さらに、所望のパターンの構造物を隔壁として製造しておいて、それを一方の基板１１に貼り付けるという方法も採用され得る。開口率は、７０％以上が好ましく、特に９０％以上が好ましい。高開口率であるほど、表示可能エリアが広くなるため、高コントラストを得ることができる。
【００４２】
隔壁１２の単位パターンの形状は、円、格子、六角形、その他の多角形など、基本的に任意である。また、セルのサイズ（ピッチ）は、表示パネルの大きさにもよるが、０．０５ｍｍ〜１ｍｍピッチ、好ましくは０．１ｍｍ〜０．５ｍｍピッチである。ここで、ピッチとは、隣接するセルの中心点の距離を意味している。
【００４３】
もっとも、隔壁１２で形成されるセルの形状は、必ずしも全てのセルで同じでなくてもよい。例えば、ランダムな形状の複数の多角形からなるパターンも採用され得る。
【００４４】
隔壁１２の高さは、５〜５０μｍ、好ましくは１０〜５０μｍである。５μｍ以下では、充填するインキ量が少なく、十分な表示特性、特にコントラストが得られない一方、５０μｍ以上では、パネルの厚みが厚すぎて、駆動電圧が上昇し過ぎてしまう。低駆動電圧で良好な表示特性が得られるという観点から、１０〜５０μｍの範囲の高さが好適である。
【００４５】
隔壁１２の頂面と、他方の基板１６上の画素電極１６１または他方の基板１６上の他の要素または他方の基板１６と、の間には、隔壁１２の頂面と、他方の基板１６上の画素電極１６１または他方の基板１６上の他の要素または他方の基板１６と、を接着させるための接着層（不図示）が設けられていてもよい。
【００４６】
接着層は、例えば転写法や印刷法により、ポリエステル系熱可塑性接着剤のような熱可塑性樹脂が、１μｍ〜１００μｍの厚みで形成される。好ましくは、１μｍ〜５０μｍの厚みで形成され、特に好ましくは、１μｍ〜２０μｍの厚みで形成される。
【００４７】
接着層を形成するための接着剤としては、熱可塑性材料を用いた接着剤が好ましく、加熱により軟化して、冷却すると固化する性質を有し、冷却と加熱を繰り返した場合に、塑性が可逆的に保たれる材料である。
【００４８】
具体的には、エチレン−酢酸ビニル共重合体、ポリエステル、ポリアミド、ポリオレフィン、ポリウレタンなどの熱可塑性ベースポリマーや、天然ゴム、スチレン−ブタジエンブロック共重合体、スチレン−イソプレンブロック共重合体、スチレン−エチレン−ブチレン−スチレンブロック共重合体、スチレン−エチレン−プロピレン−スチレン共重合体などの熱可塑性エラストマーを主成分とし、粘着性付与樹脂や可塑剤を配合した樹脂が主に使用される。
【００４９】
隔壁１２と接着剤との密着性を上げるために、隔壁１２に紫外線照射やプラズマ処理などにより表面処理が施されてもよいし、プライマーが形成されてもよい。あるいは、接着剤２２１の方にシランカップリング剤が添加されてもよい。
【００５０】
表示媒体１３は、少なくとも１種以上の電気応答性材料を含んでいる。電気応答性材料としては、電荷粒子材料、液晶材料があり、電荷粒子材料には白や黒、カラーなどの色づけされた粒子が電場に応答して移動するいわゆる電気泳動材料、または、粒子が二色に色分けされ電場により回転するツイストボールに代表される材料、または、電場により移動するナノ粒子材料等がある。一方、液晶材料は、ＰＤＬＣ（Ｐｏｌｙｍｅｒ  Ｄｉｓｐｅｒｓｅｄ  Ｌｉｑｕｉｄ  Ｃｒｙｓｔａｌ）で知られる透過と散乱を電気的に制御する材料や、液晶に色素を混合した材料、コレステリック液晶材料などがある。
【００５１】
本実施の形態においては、表示媒体１３は、白の電気応答性材料と黒の電気応答性材料を含んでおり、白の電気応答性材料は、負に帯電されており、黒の電気応答性材料は、正に帯電されている。これにより、セグメント電極１６１に共通電極１１１よりも低い電位が印加されると、負に帯電した白の電気応答性材料が共通電極１１１の側に引き寄せられ、表示媒体１３中の正に帯電した黒の電気応答性材料がセグメント電極１６１の側に引き寄せられるようになっている。また、セグメント電極１６１に共通電極１１１よりも高い電位が印加されると、負に帯電した白の電気応答性材料がセグメント電極１６１の側に引き寄せられ、表示媒体１３中の正に帯電した黒の電気応答性材料が共通電極１１１の側に引き寄せられるようになっている。
【００５２】
図４は、本発明の一実施の形態による表示書き換え処理を示すフロー図である。所望の表示の内容に応じて、個々のセグメント電極の印加制御を実現する制御信号に基づいて、不図示の信号線ドライバが、各セグメント電極への電圧印加の要／不要と、要の場合の符号と、を区別し、電圧印加が要であって正であるセグメント電極に対しては、不図示の信号生成部で生成された正の基準駆動信号（図３参照）を印加し、電圧印加が要であって負であるセグメント電極に対しては、信号生成部で生成された負の基準駆動信号（図３参照）を印加する。また、電圧印加が不要であるセグメント電極に対しては、ＧＮＤ電位の印加が継続される。
【００５３】
正の基準駆動信号が印加されることで、表示媒体１３中の負に帯電した白の電気応答性材料がセグメント電極１６１の側に引き寄せられ、表示媒体１３中の正に帯電した黒の電気応答性材料が視認側の共通電極１１１の側に引き寄せられる。これにより、所望の黒表示を効果的に実現することができる。
【００５４】
あるいは、負の基準駆動信号が印加されることで、表示媒体１３中の負に帯電した白の電気応答性材料が視認側の共通電極１１１の側に効果的に引き寄せられ、表示媒体１３中の正に帯電した黒の電気応答性材料がセグメント電極１６１の側に効果的に引き寄せられる。これにより、所望の白表示を効果的に実現することができる。
【００５５】
ここで、正の基準駆動信号の第１電位＋ａ（Ｖ）及び所定時間ｔ１、及び、負の基準駆動信号の第２電位−ｂ（Ｖ）及び所定時間ｔ２が、それぞれ−３０℃という低温環境で表示書き換えを実現するように予め設定されていることにより、−３０℃という低温環境において好適な黒表示及び白表示を実現できることは明らかである。本件発明者は、これに加えて、２０℃という常温環境においても、更に４０℃という高温環境においても、本実施の形態による正の基準駆動信号及び負の基準駆動信号を採用した反射型表示装置が好適な黒表示及び白表示を実現することを確認した。具体的には、本実施の形態の反射型表示装置を恒温恒湿層内に設置し、−３０℃、２０℃、４０℃の各環境温度を実現した上で、黒表示及び白表示の反射率Yをコニカミノルタ社製分光測色計「CM-700d」を用いてそれぞれ測定した所、いずれの環境温度においてもコントラスト比１０以上を実現していることが確認された。
【００５６】
これに対して、正の基準駆動信号の第１電位＋ａ（Ｖ）及び所定時間ｔ１、及び、負の基準駆動信号の第２電位−ｂ（Ｖ）及び所定時間ｔ２が、それぞれ２０℃という常温環境に合わせて予め設定されている従来の反射型表示装置の場合には、２０℃という常温環境において好適な黒表示及び白表示を実現できることは明らかである。しかしながら、そのような従来の反射型表示装置を恒温恒湿層内に設置し、−３０℃と４０℃の各環境温度を実現した上で、黒表示及び白表示の反射率Yをコニカミノルタ社製分光測色計「CM-700d」を用いてそれぞれ測定した所、４０℃の環境温度においてはコントラスト比１０以上を実現していたが、−３０℃の環境温度においてはコントラスト比５未満であった。すなわち、従来の反射型表示装置の場合には、−３０℃の環境温度においては好適な黒表示及び白表示を実現できないことが確認された。
【００５７】
以上の通り、本実施の形態によれば、−３０℃という低温環境で表示書き換えを実現するように予め設定された基準駆動信号を採用することで、−３０℃〜４０℃という広い温度範囲で当該基準駆動信号を共通に使用することができる。このため、温度センサ及び温度センサに付随する制御装置等を必要とすることなく、広い温度範囲で所望の表示書き換え動作を実現することができる。
【符号の説明】
【００５８】
１１  一方の基板
１１１  共通電極
１２  隔壁
１３  インキ（表示媒体）
１６  他方の基板
１６１  セグメント電極
【図１】
2015219310.tif 000003
【図２】
2015219310.tif 000004
【図３】
2015219310.tif 000005
【図４】
2015219310.tif 000006